(57)【要約】【課題】  電力線マルチキャリア通信方法及び電力線マルチキャリア通信装置において、トポロジー及び利用周波数帯域の異なる複数のアプリケーションのデータ通信を共存させ、周波数帯域を有効利用すること。【解決手段】  トポロジー及び利用周波数帯域が異なる複数のアプリケーションによるデータ通信を電力線を介してマルチキャリア方式で行う方法であって、隣接するアプリケーションの利用周波数帯域１１、１２、１３の一部を互いに重複させた干渉許容バンド２１、２２を設け、干渉許容バンド２１、２２において隣接するアプリケーションのデータ通信に干渉が生じた際に、予め決めた優先順位の高いアプリケーションのデータ通信にのみ干渉許容バンド２１、２２を使用可能にする。【選択図】      図３
2007281617.tif 000002
【特許請求の範囲】
【請求項１】
トポロジー及び利用周波数帯域が異なる複数のアプリケーションによるデータ通信を電力線を介してマルチキャリア方式で行う方法であって、
隣接する前記アプリケーションの利用周波数帯域の一部を互いに重複させた干渉許容バンドを設け、
前記干渉許容バンドにおいて前記隣接するアプリケーションのデータ通信に干渉が生じた際に、予め決めた優先順位の高い前記アプリケーションのデータ通信にのみ前記干渉許容バンドを使用可能にすることを特徴とする電力線マルチキャリア通信方法。
【請求項２】
請求項１に記載の電力線マルチキャリア通信方法において、
前記優先順位を、前記データ通信の時間占有率の低い前記アプリケーションの順に設定することを特徴とする電力線マルチキャリア通信方法。
【請求項３】
請求項２に記載の電力線マルチキャリア通信方法において、
前記アプリケーションの前記利用周波数帯域を、前記データ通信の時間占有率が高いほど高周波数側に割り当てることを特徴とする電力線マルチキャリア通信方法。
【請求項４】
請求項１に記載の電力線マルチキャリア通信方法において、
前記優先順位を、前記利用周波数帯域の帯域幅が狭い前記アプリケーションの順に設定することを特徴とする電力線マルチキャリア通信方法。
【請求項５】
請求項１に記載の電力線マルチキャリア通信方法において、
前記優先順位を、前記データ通信の伝送距離が長い前記アプリケーションの順に設定することを特徴とする電力線マルチキャリア通信方法。
【請求項６】
請求項１に記載の電力線マルチキャリア通信方法において、
前記アプリケーションのデータ通信が、電気電子機器の制御信号を主として通信する制御データ通信と、
音声又は映像信号のパケットデータを主として通信するパケット通信と、
ハイビジョン信号をストリーム形式で主として通信するストリーミング伝送通信と、であり、
前記制御データ通信を、前記パケット通信及び前記ストリーミング伝送通信よりも前記優先順位を高く設定していることを特徴とする電力線マルチキャリア通信方法。
【請求項７】
トポロジー及び利用周波数帯域が異なる複数のアプリケーションによるデータ通信がマルチキャリア方式で行なわれる電力線に接続される通信装置であって、
前記データ通信を自己の前記アプリケーションの利用周波数帯域で電力線を介して行う電力線送受信部を備え、
前記電力線送受信部が、前記自己のアプリケーションの利用周波数帯域に隣接する他の前記アプリケーションの利用周波数帯域と利用周波数帯域の一部を互いに重複させた干渉許容バンドを設け、
前記干渉許容バンドにおいて前記隣接する他のアプリケーションのデータ通信との干渉を検出した際に、前記隣接する他のアプリケーションに対して予め決めた優先順位に応じて前記干渉許容バンドを前記データ通信で使用するか否かを決定することを特徴とする電力線マルチキャリア通信装置。
【発明の詳細な説明】
【技術分野】
【０００１】
本発明は、トポロジー及び利用周波数帯域が異なる複数のアプリケーションによるデータ通信を電力線を介してマルチキャリア方式で行う電力線マルチキャリア通信方法及び電力線マルチキャリア通信装置に関する。
【背景技術】
【０００２】
近年、家屋等の建物内に配線されている電力線を介して電力線通信装置間のデータ通信を行うことが検討されている。例えば、家屋が有する電力線を用いてオーディオ機器等の電力線通信装置間でオーディオ信号や映像信号等のデータ通信を良好に行うことが研究されている。
【０００３】
この電力線を用いたデータ通信を行うアプリケーションとしては、家電製品等の電気電子機器の制御信号を主として送受信する制御データ通信、オーディオ機器等のオーディオ信号（音声信号）や映像信号のパケットデータを主として送受信するパケット通信、さらにハイビジョン信号をストリーム形式で主として通信するストリーミング伝送通信などが検討されている。これらのデータ通信のアプリケーションでは、それぞれ異なるネットワークの接続形態（以下、トポロジーと称する）及び利用周波数帯域の通信システムが想定されている。
【０００４】
従来、例えば特許文献１には、屋内電力線などを用いて利用周波数帯域を共有するシェアードメディア型のデータ通信ネットワークにおいて、別々のノードから送信されたデータがネットワーク内で衝突し互いに妨害してデータ伝送が機能しなくなることを防ぐために、時分割したデータ（スロット）を沈黙時間を設けて送信する方式が記載されている。
【０００５】
【特許文献１】特開２００４−７４９０号公報
【発明の開示】
【発明が解決しようとする課題】
【０００６】
上記従来の技術には、以下の課題が残されている。
すなわち、電力線を通信媒体として利用する各アプリケーションでは、トポロジー及び利用周波数帯域がそれぞれ異なったシステムを採用しており、相互に認識させて共存させることが難しかった。例えば、上記制御データ通信では、ネットワークに接続されるノードが複数：複数のトポロジーにおいて、狭帯域でイベント型の制御システムを想定しているのに対し、上記ストリーミング伝送通信では、ネットワークに接続されるノードが１：１のトポロジーにおいて、広帯域でストリーミング伝送を行うシステムを想定している。また、コスト的な問題から、同一のアクセス方式で規格化することも困難であると共に、ノイズなどの電力線の特性から、共通の制御チャネルを設けることも困難であった。
また、特許文献１の技術を利用し、アプリケーション間で時分割送信することでアプリケーション間のデータ衝突を防ぐことも考えられるが、伝送効率が低下してしまい高い伝送速度を得ることができない不都合があった。
さらに、ガードバンドを介して単に使用する周波数帯域をアプリケーション毎に分割する方式も考えられるが、全体としてより広い周波数帯域を必要とすることから、周波数帯域を有効利用することができないという不都合があった。
【０００７】
本発明は、前述の課題に鑑みてなされたもので、トポロジー及び利用周波数帯域の異なる複数のアプリケーションのデータ通信を共存させ、アプリケーション間で時分割が不要であると共に周波数帯域を有効利用することができる電力線マルチキャリア通信方法及び電力線マルチキャリア通信装置を提供することを目的とする。
【課題を解決するための手段】
【０００８】
本発明は、前記課題を解決するために以下の構成を採用した。すなわち、本発明の電力線マルチキャリア通信方法は、トポロジー及び利用周波数帯域が異なる複数のアプリケーションによるデータ通信を電力線を介してマルチキャリア方式で行う方法であって、隣接する前記アプリケーションの利用周波数帯域の一部を互いに重複させた干渉許容バンドを設け、前記干渉許容バンドにおいて前記隣接するアプリケーションのデータ通信に干渉が生じた際に、予め決めた優先順位の高い前記アプリケーションのデータ通信にのみ前記干渉許容バンドを使用可能にすることを特徴とする。
【０００９】
また、本発明の電力線マルチキャリア通信装置は、トポロジー及び利用周波数帯域が異なる複数のアプリケーションによるデータ通信がマルチキャリア方式で行なわれる電力線に接続される通信装置であって、前記データ通信を自己の前記アプリケーションの利用周波数帯域で電力線を介して行う電力線送受信部を備え、前記電力線送受信部が、前記自己のアプリケーションの利用周波数帯域に隣接する他の前記アプリケーションの利用周波数帯域と利用周波数帯域の一部を互いに重複させた干渉許容バンドを設け、前記干渉許容バンドにおいて前記隣接する他のアプリケーションのデータ通信との干渉を検出した際に、前記隣接する他のアプリケーションに対して予め決めた優先順位に応じて前記干渉許容バンドを前記データ通信で使用するか否かを決定することを特徴とする。
【００１０】
すなわち、この電力線マルチキャリア通信方法及び電力線マルチキャリア通信装置では、マルチキャリア方式がノイズに対してロバストである利点を活かして干渉許容バンドを設定すると共に、干渉許容バンドにおいて隣接するアプリケーションのデータ通信に干渉が生じていない場合には、公平に干渉許容バンドを含んだそれぞれの利用周波数帯域でデータ通信を行い、干渉許容バンドにおいて隣接するアプリケーションのデータ通信に干渉が生じた場合には、予め決めた優先順位の高い一方のアプリケーションのデータ通信にのみ干渉許容バンドを使用可能にし、他方のアプリケーションのデータ通信が干渉許容バンドを開放する。
【００１１】
また、電力線マルチキャリア通信方法は、前記優先順位を、前記データ通信の時間占有率が低い前記アプリケーションの順に設定することを特徴とする。すなわち、この電力線マルチキャリア通信方法では、時間占有率の低い順にアプリケーションの優先順位を決定するので、制御システムの制御データ通信などの時間占有率が低く重要度の高いアプリケーションが優先され、広い利用周波数帯域を維持して効率的な通信を行うことが可能になる。
【００１２】
さらに、電力線マルチキャリア通信方法は、前記アプリケーションの前記利用周波数帯域を、前記データ通信の時間占有率が高いほど高周波数側に割り当てることを特徴とする。すなわち、この電力線マルチキャリア通信方法では、より高速通信が可能な高周波数側を時間占有率の高いアプリケーションに割り当てることで、より効率的に周波数帯域を利用することができる。
【００１３】
また、電力線マルチキャリア通信方法は、前記優先順位を、前記利用周波数帯域の帯域幅が狭い前記アプリケーションの順に設定することを特徴とする。すなわち、この電力線マルチキャリア通信方法では、利用周波数帯域の帯域幅が狭い順にアプリケーションの優先順位を決定するので、干渉発生時の帯域幅の変動率が比較的小さくて済む広帯域のアプリケーションが干渉許容バンドを開放し、狭帯域のアプリケーションの利用周波数帯域が干渉許容バンドを含んだまま維持されることで、干渉時でも効率的な帯域利用を確保することが可能になる。
【００１４】
また、電力線マルチキャリア通信方法は、前記優先順位を、前記データ通信の伝送距離が長い前記アプリケーションの順に設定することを特徴とする。すなわち、この電力線マルチキャリア通信方法では、伝送距離が長いほど電力線にノイズが発生しやすいため、伝送距離が長い順にアプリケーションの優先順位を決定することで、長い伝送距離のアプリケーションに伝搬特性の良い帯域を割り当てて良好な通信品質を確保することができる。
【００１５】
また、電力線マルチキャリア通信方法は、前記アプリケーションのデータ通信が、電気電子機器の制御信号を主として通信する制御データ通信と、音声又は映像信号のパケットデータを主として通信するパケット通信と、ハイビジョン信号をストリーム形式で主として通信するストリーミング伝送通信と、であり、前記制御データ通信を、前記パケット通信及び前記ストリーミング伝送通信よりも前記優先順位を高く設定していることを特徴とする。すなわち、この電力線マルチキャリア通信方法では、セキュリティ信号などの重要な制御データを送受信する制御データ通信を、主に趣味的な用途のパケット通信及びストリーミング伝送通信よりも高い優先順位に設定しているので、通信データの重要性に応じて優先的に利用周波数帯域を確保することができる。
【発明の効果】
【００１６】
本発明によれば、以下の効果を奏する。
すなわち、本発明に係る電力線マルチキャリア通信方法及び電力線マルチキャリア通信装置によれば、干渉許容バンドにおいて非干渉時には、公平に干渉許容バンドを含んだそれぞれの利用周波数帯域でデータ通信を行い、広い帯域を有効利用することができる。そして、干渉発生時には、優先順位の高い一方のアプリケーションのデータ通信にのみ干渉許容バンドを使用可能にし、他方のアプリケーションのデータ通信が干渉許容バンドを開放する協調動作を行うことで、隣接アプリケーション同士の干渉を回避することができる。したがって、電力線を通信媒体とする異なる通信システムのアプリケーションを、時分割が不要であると共に有効に帯域を利用しつつ干渉を避けて共存させ、データ通信させることができる。
【発明を実施するための最良の形態】
【００１７】
以下、本発明に係る電力線マルチキャリア通信方法及び電力線マルチキャリア通信装置の一実施形態を、図１から図３を参照しながら説明する。
【００１８】
本実施形態の電力線マルチキャリア通信方法は、図１に示すように、トポロジー及び利用周波数帯域が異なる複数のアプリケーションによるデータ通信を家屋等の建物１内に配設された電力線Ｌを介してマルチキャリア方式で行う方法であって、例えばＣｌａｓｓ１と称した通信システムを採用するアプリケーションのデータ通信と、Ｃｌａｓｓ２と称した通信システムを採用するアプリケーションのデータ通信と、Ｃｌａｓｓ３と称した通信システムを採用するアプリケーションのデータ通信と、を共存させて通信する方法である。
【００１９】
上記Ｃｌａｓｓ１のシステムを採用するアプリケーションのデータ通信は、例えば各室内の電灯２、エアコンディショナー３、監視カメラ４、冷蔵庫５及び制御コンピュータ６などの電気電子機器（電力線マルチキャリア通信装置）間で制御信号を主として通信する制御データ通信である。すなわち、このＣｌａｓｓ１のシステムでは、ネットワークに接続されたノードが複数：複数のトポロジーとなっている。
【００２０】
また、上記Ｃｌａｓｓ２のシステムを採用するアプリケーションのデータ通信は、例えばＣＤ・ＤＶＤプレーヤ等のオーディオ・ビジュアル再生装置（電力線マルチキャリア通信装置）７と複数のスピーカ（電力線マルチキャリア通信装置）８Ａ、８Ｂとの間での音声又は映像信号のパケットデータを主として通信するパケット通信である。すなわち、このＣｌａｓｓ２のシステムでは、ネットワークに接続されたノードが１：複数のトポロジーとなっている。なお、制御コンピュータ（電力線マルチキャリア通信装置）６によりオーディオ・ビジュアル再生装置７と複数のスピーカ８Ａ、８Ｂとを制御するようにしても構わない。
【００２１】
また、上記Ｃｌａｓｓ３のシステムを採用するアプリケーションのデータ通信は、例えば地上デジタル放送などのハイビジョン信号を受信するハイビジョン受信器（電力線マルチキャリア通信装置）９とハイビジョン信号を再生するハイビジョン対応テレビジョン（電力線マルチキャリア通信装置）１０との間でハイビジョン信号をストリーム形式で主として通信するストリーミング伝送通信である。すなわち、このＣｌａｓｓ３のシステムでは、ネットワークに接続されたノードが１：１のトポロジーとなっている。
【００２２】
なお、上記各Ｃｌａｓｓのノード（電灯２、エアコンディショナー３、監視カメラ４、冷蔵庫５、制御コンピュータ６、オーディオ・ビジュアル再生装置７、スピーカ８Ａ、８Ｂ、ハイビジョン受信器９、ハイビジョン対応テレビジョン１０）は、図２に示すように、いずれも電力線Ｌに接続可能で電力線Ｌを介してデータ通信を各Ｃｌａｓｓの通信システムに基づいて行う電力線送受信部ＰＬを有している。
【００２３】
この電力線マルチキャリア通信方法では、図３に示すように、隣接する各Ｃｌａｓｓのアプリケーションにおける利用周波数帯域１１、１２、１３の一部を互いに重複させた干渉許容バンド２１、２２を設け、干渉許容バンド２１、２２において隣接する各アプリケーションのデータ通信に干渉が生じた際に、予め決めた優先順位の高いアプリケーションのデータ通信にのみ干渉許容バンド２１、２２を使用可能にする。
【００２４】
また、この電力線マルチキャリア通信方法では、各アプリケーションの利用周波数帯域１１、１２、１３を、データ通信の時間占有率が高いほど高周波数側に割り当てている。すなわち、Ｃｌａｓｓ３のアプリケーション、Ｃｌａｓｓ２のアプリケーション、Ｃｌａｓｓ１のアプリケーションの順にデータ通信の時間占有率が高いため、この順に高周波数側から利用周波数帯域１３、１２、１１を割り当てる。
【００２５】
例えば、全体としては２ＭＨｚから３０ＭＨｚまでの周波数を使用し、Ｃｌａｓｓ１のアプリケーションにおける利用周波数帯域１１は、例えば２ＭＨｚから１０．４ＭＨｚまでの間で帯域幅が８．４ＭＨｚに設定される。また、Ｃｌａｓｓ２のアプリケーションにおける利用周波数帯域１２は、例えば７．６ＭＨｚから１８．８ＭＨｚまでの間で帯域幅が１１．２ＭＨｚに設定される。さらに、Ｃｌａｓｓ３のアプリケーションにおける利用周波数帯域１３は、例えば１６ＭＨｚから３０ＭＨｚまでの間で帯域幅が１４ＭＨｚに設定される。
【００２６】
そして、上記干渉許容バンド２１は、そのバンド幅が例えばＣｌａｓｓ３を採用するアプリケーションの利用周波数帯域１３の２割に設定される。すなわち、隣接するＣｌａｓｓ１のアプリケーションとＣｌａｓｓ２のアプリケーションとの干渉許容バンド２１は、７．６ＭＨｚから１０．４ＭＨｚまでの間で帯域幅が２．８ＭＨｚに設定される。また、隣接するＣｌａｓｓ２のアプリケーションとＣｌａｓｓ３のアプリケーションとの干渉許容バンド２２は、１６ＭＨｚから１８．８ＭＨｚまでの間で帯域幅が２．８ＭＨｚに設定される。
【００２７】
上記優先順位は、データ通信の時間占有率の低いアプリケーションの順に設定している。すなわち、本実施形態では、図３に示すように、制御データ通信であるＣｌａｓｓ１のアプリケーション、パケット通信であるＣｌａｓｓ２のアプリケーション、ストリーミング伝送通信であるＣｌａｓｓ３のアプリケーションの順に低い時間占有率を有しており、この順で優先順位を高く設定している。
【００２８】
なお、優先順位としては、利用周波数帯域１１、１２、１３の帯域幅が狭いアプリケーションの順に設定しても構わない。また、別の優先順位としては、アプリケーションのデータ通信の伝送距離が全体的に長い順に設定しても構わない。なお、これらいずれの場合も本実施形態では、制御データ通信であるＣｌａｓｓ１のアプリケーション、パケット通信であるＣｌａｓｓ２のアプリケーション、ストリーミング伝送通信であるＣｌａｓｓ３のアプリケーションの順に高い優先順位となる。
【００２９】
なお、上記データ通信及び帯域割り当ては、電力線マルチキャリア通信装置である電灯２、エアコンディショナー３、監視カメラ４、冷蔵庫５、制御コンピュータ６、オーディオ・ビジュアル再生装置７、スピーカ８Ａ、８Ｂ、ハイビジョン受信器９、ハイビジョン対応テレビジョン１０における各電力線送受信部ＰＬで処理、実行される。すなわち、各電力線送受信部ＰＬでは、自己のアプリケーションの利用周波数帯域に隣接する他のアプリケーションの利用周波数帯域と利用周波数帯域の一部を互いに重複させた干渉許容バンド２１、２２を設け、干渉許容バンド２１、２２において隣接する他のアプリケーションのデータ通信との干渉を検出した際に、隣接する他のアプリケーションに対して予め決めた優先順位に応じて干渉許容バンド２１、２２をデータ通信で使用するか否かを決定する機能を有している。
【００３０】
次に、本実施形態の電力線マルチキャリア通信方法及び電力線マルチキャリア通信装置による非干渉時と干渉発生時との場合における帯域割り当てについて、具体的に説明する。
例えば、Ｃｌａｓｓ１のアプリケーションとＣｌａｓｓ２のアプリケーションとの干渉許容バンド２１において互いにデータ通信に干渉が発生していない場合、Ｃｌａｓｓ１及び２の両アプリケーションとも、干渉許容バンド２１を含めた利用周波数帯域１１、１２でデータ通信を行う。
【００３１】
また、この干渉許容バンド２１で互いのデータ通信に干渉が発生した場合、時間占有率が低く伝送距離も長いと共に狭い利用周波数帯域１１で制御データ通信を行うＣｌａｓｓ１のアプリケーションを優先して干渉許容バンド２１でのデータ通信を維持させると共に、Ｃｌａｓｓ２のアプリケーションにおける利用周波数帯域１２から干渉許容バンド２１を除外してＣｌａｓｓ１のアプリケーション用に開放し、干渉許容バンド２１に割り当てていたサブキャリアを、干渉許容バンド２１を除外した利用周波数帯域１２内のサブチャネルに割り当てて送受信を行う。
【００３２】
なお、干渉許容バンド２１、２２においてデータ通信の干渉発生の有無は、干渉許容バンド２１、２２に割り振られたサブチャネルの通信状態をパイロットトーン信号などによりモニタリングして検出する。この干渉許容バンド２１、２２における干渉の検出機能は、電力線通信を行うアプリケーションの機器のいずれかに搭載しても良く、干渉検出用の制御装置を電力線の通信網に別途接続させても構わない。
【００３３】
このように本実施形態では、マルチキャリア方式がノイズに対してロバストである利点を活かして干渉許容バンド２１、２２を設定すると共に、干渉許容バンド２１、２２において非干渉時には、公平に干渉許容バンド２１、２２を含んだそれぞれの利用周波数帯域１１、１２、１３でデータ通信を行い、広い帯域を有効利用することができる。そして、干渉発生時には、優先順位の高い一方のアプリケーションのデータ通信にのみ干渉許容バンド２１、２２を使用可能にし、他方のアプリケーションのデータ通信が干渉許容バンド２１、２２を開放する協調動作を行うことで、隣接アプリケーション同士の干渉を回避することができる。
【００３４】
したがって、電力線Ｌを通信媒体とする異なる通信システム（Ｃｌａｓｓ１〜３）のアプリケーションを、アプリケーション間の時分割方式を採用せずに、有効に帯域を利用しつつ干渉を避けて共存させ、データ通信させることができる。特に、全部の帯域を利用する場合など、マルチモード・マルチバンドの全てのシステムを網羅することも可能になる。
【００３５】
また、時間占有率の低い順にアプリケーションの優先順位を決定するので、制御システムの制御データ通信などの時間占有率が低く重要度の高いアプリケーションが優先され、広い利用周波数帯域を維持して効率的な通信を行うことが可能になる。
さらに、より高速通信が可能な高周波数側を時間占有率の高いアプリケーションに割り当てることで、より効率的に周波数帯域を利用することができる。
【００３６】
また、利用周波数帯域１１、１２、１３の帯域幅が狭い順にアプリケーションの優先順位を決定するので、干渉発生時の帯域幅の変動率が比較的小さくて済む広帯域のアプリケーションが干渉許容バンド２１、２２を開放し、狭帯域のアプリケーションの利用周波数帯域が干渉許容バンド２１、２２を含んだまま維持されることで、干渉時でも効率的な帯域利用を確保することが可能になる。
【００３７】
また、伝送距離が長いほど電力線Ｌにノイズが発生しやすいため、伝送距離が長い順にアプリケーションの優先順位を決定することで、長い伝送距離のアプリケーションに伝搬特性の良い帯域を割り当てて良好な通信品質を確保することができる。
さらに、セキュリティ信号などの重要な制御データを送受信する制御データ通信を、主に趣味的な用途のパケット通信及びストリーミング伝送通信よりも高い優先順位に設定しているので、通信データの重要性に応じて優先的に利用周波数帯域を確保することができる。
【００３８】
なお、本発明の技術範囲は上記実施形態に限定されるものではなく、本発明の趣旨を逸脱しない範囲において種々の変更を加えることが可能である。
【００３９】
例えば、上記実施形態では、Ｃｌａｓｓ１〜３の３つの通信システムにおけるアプリケーションでの帯域割り当てに関して規定しているが、トポロジー及び利用周波数帯域の異なる２つ又は４以上のシステムのアプリケーションにおける帯域割り当てに適用しても構わない。
また、上述したように、干渉許容バンド２１、２２の使用優先順位は、「時間占有率」「伝送距離」「帯域幅」にいずれかに基づいて決定することが好ましいが、その他の条件に基づいて優先順位を決定しても構わない。例えば、アプリケーションの使用時間帯などで優先順位を決定しても構わない。
【図面の簡単な説明】
【００４０】
【図１】本発明に係る電力線マルチキャリア通信方法及び電力線マルチキャリア通信装置の一実施形態において、各Ｃｌａｓｓのトポロジーを示す説明図である。
【図２】本実施形態において、電力線に接続された各電力線マルチキャリア通信装置を示すブロック図である。
【図３】本実施形態において、各Ｃｌａｓｓの利用周波数帯域の割り当てを示すグラフである。
【図４】本実施形態において、各Ｃｌａｓｓのデータ通信の時間占有率を示すグラフである。
【符号の説明】
【００４１】
２…電灯（電力線マルチキャリア通信装置）、３…エアコンディショナー（電力線マルチキャリア通信装置）、４…監視カメラ（電力線マルチキャリア通信装置）、５…冷蔵庫（電力線マルチキャリア通信装置）、６…制御コンピュータ（電力線マルチキャリア通信装置）、７…オーディオ・ビジュアル再生装置（電力線マルチキャリア通信装置）、８Ａ、８Ｂ…スピーカ（電力線マルチキャリア通信装置）、９…ハイビジョン受信器（電力線マルチキャリア通信装置）、１０…ハイビジョン対応テレビジョン（電力線マルチキャリア通信装置）、１１、１２、１３…利用周波数帯域、２１、２２…干渉許容バンド、Ｌ…電力線、ＰＬ…電力線送受信部
【図１】
2007281617.tif 000003
【図２】
2007281617.tif 000004
【図３】
2007281617.tif 000005
【図４】
2007281617.tif 000006